(57)【要約】一定の輪状冠が当該輪状冠を一定の患者の頭蓋に対して適宜に調節するために多数の寸法に調節可能な懸架状の後方の足部を有している。各足部は単一の軸に沿って摺動するが、下側、内側および後ろ側に延出しているその一部分および上記軸の配向により三次元における調節が行なえる。
2004522466.tif 000002
【特許請求の範囲】
【請求項１】
医療用輪状冠において、
概ね一定の個人の頭部における周縁部の一部分の周りに延在してその部分に対して側方に離間した関係で配置されるように形状付けられている一定の細長い第１の弓形部分、
前記第１の弓形部分から後方に延出していて前記個人の頭部における一定の後方部分の上に延在する少なくとも１個の足部を備えており、当該足部が一定の後方から前方への方向の成分を有する第１の軸に沿って移動可能であり、さらに、前記輪状冠が、
前記少なくとも１個の足部における少なくとも１個の第１の接触部材を備えている医療用輪状冠。
【請求項２】
前記第１の接触部材が一定のピン・クランプである請求項１に記載の医療用輪状冠。
【請求項３】
前記少なくとも１個の足部が前記第１の弓形部分から後方に延出していて当該第１の弓形部分に摺動可能に取り付けられている第１の部分、および当該第１の部分から下方に延出している第２の部分を有している請求項１に記載の医療用輪状冠。
【請求項４】
前記第２の部分がさらに中央に延出している請求項３に記載の医療用輪状冠。
【請求項５】
前記第１の部分がさらに下方に延出しており、前記第１の軸がさらに一定の後方から下方への方向の成分を有している請求項４に記載の医療用輪状冠。
【請求項６】
前記第１の軸がさらに一定の中央から側方への方向の成分を有している請求項５に記載の医療用輪状冠。
【請求項７】
前記第１の部分の前記第１の軸に沿う一方向における移動が前記第２の部分を下方、後方および側方に移動し、当該第１の部分の前記第１の軸に沿う前記と反対の方向における移動が前記第２の部分を上方、前方および中央に移動する請求項６に記載の医療用輪状冠。
【請求項８】
さらに、前記第１の弓形部分において一定の位置決め用パッドを備えている請求項１に記載の医療用輪状冠。
【請求項９】
前記位置決め用パッドが弾性的であり、前記第１の弓形部分の上に弾性的に適合するように形状付けられている請求項８に記載の医療用輪状冠。
【請求項１０】
さらに、前記第１の弓形部分に接続していて当該第１の弓形部分との平面的な関係から外れることにより、当該第１の弓形部分に剛性を賦与するための第２の弓形部分を備えている請求項１に記載の医療用輪状冠。
【請求項１１】
前記第１の弓形部分が射出成形されている請求項１に記載の医療用輪状冠。
【請求項１２】
前記第１の弓形部分がその内部に形成されている少なくとも１個の通路を有しており、前記少なくとも１個の足部の少なくとも一部分が当該少なくとも１個の通路の中に摺動可能に配置されている請求項１に記載の医療用輪状冠。
【請求項１３】
２個の足部を有している請求項１に記載の医療用輪状冠。
【請求項１４】
さらに、前記第１の弓形部分に摺動可能に固定されて第２の接触部材を支持する少なくとも１個の摺動可能な部材を備えている請求項１に記載の医療用輪状冠。
【請求項１５】
前記第１の弓形部分および少なくとも１個の摺動可能な部材が相補的なインターロック式の形状をそれぞれ有しており、これにより、この摺動可能な部材が第１の弓形部分に沿って摺動できるが、この第１の弓形部分の回りに回転できないようになっている請求項１４に記載の医療用輪状冠。
【請求項１６】
前記少なくとも１個の摺動可能な部材が前記医療用輪状冠を一定の個人の頭部に設置した後に前記第１の弓形部分に固定できる請求項１４に記載の医療用輪状冠。
【請求項１７】
前記少なくとも１個の摺動可能な部材が互いに分離可能な第１の部分および第２の部分を有しており、これにより、当該摺動可能な部材が前記医療用輪状冠を一定の個人の頭部に設置した後に前記第１の弓形部分に固定することを可能にしている請求項１６に記載の医療用輪状冠。
【発明の詳細な説明】
【０００１】
発明の分野
本発明は多数の寸法で複数の位置に適合できる位置決め可能に且つ調節可能に各種の構成要素を有している一定の輪状冠（ｈａｌｏ ｃｒｏｗｎ）に関する。
【０００２】
背景
輪状冠は脊椎の頸部領域を安定化するために用いられ、頭蓋の少なくとも一部分を囲む一定の弓形部分およびその頭蓋に対してこの弓形部分を取り付けるための複数のピンを有している。一般的に、これらの輪状冠は異なる頭蓋の大きさに適応するために種々の寸法で備えられる。
【０００３】
発明の概要
本発明による医療用の輪状冠は従来の輪状冠に優る改善された調節可能性を提供する。この輪状冠は概ね一定の個人の頭部の周縁部の一部分の周りに延在してその部分に対して側方に離間した関係で配置されるように形状付けられている一定の細長い第１の弓形部分を有している。少なくとも１個の足部が上記第１の弓形部分から後方に且つ上記個人の頭部の後部の上方に延出する。この足部は一定の後方から前方への方向の成分を有する第１の軸に沿って移動可能である。また、少なくとも１個の接触部材が上記足部に備えられている。好ましくは、この足部は一定のピン・クランプである。
【０００４】
上記足部は好ましくは上記第１の弓形部分から後方に延出していて当該弓形部分に摺動可能に取り付けられている第１の部分、およびこの第１の部分から下方に懸架している第２の部分を有している。好ましくは、この第２の部分は中央に延出しており、さらに、一定の後方から下方への方向の成分を有している上記第１の軸に対して下方に延出している。好ましくは、この第１の軸はさらに一定の中央から側方への方向の成分も有している。
【０００５】
好ましくは、上記第１の部分の上記第１の軸に沿う一方向における移動は上記第２の部分を下方、後方および側方に移動し、この第１の部分の上記第１の軸に沿う上記と反対の方向における移動は上記第２の部分を上方、前方および中央に移動する。
【０００６】
一定の位置決めパッドが上記第１の弓形部分に備えることができ、好ましくは弾性的であり、この第１の弓形部分の上に弾性的に適合するように形状付けられている。
【０００７】
また、第２の弓形部分を備えることができ、この第２の弓形部分は上記第１の弓形部分に接続されていて、この第１の弓形部分との平面的関係から外れることによりこの第１の弓形部分に剛性を賦与する。
【０００８】
好ましくは、上記第１の弓形部分は射出成形されている。
【０００９】
好ましくは、上記第１の弓形部分はその内部に形成されている少なくとも１個の通路を有しており、上記足部の少なくとも一部分がこの通路の中に摺動可能に配置されている。
【００１０】
好ましくは、上記輪状冠は２個の足部を有している。
【００１１】
好ましくは、上記輪状冠は上記第１の弓形部分に摺動可能に固定されていて一定のピン・クランプ等の一定の接触部材を支持している少なくとも１個の摺動可能な部材を有している。これら第１の弓形部分および摺動可能な部材は好ましくは相補的なインターロック式の形状をそれぞれ有しており、これにより、この摺動可能な部材は第１の弓形部分に沿って摺動するが、この第１の弓形部分の回りに回転できないようになっている。
【００１２】
好ましくは、上記摺動可能な部材は上記医療用の輪状冠が一定の個人の頭部に設置された後に上記第１の弓形部分に固定できる。このことを達成可能にする一例の方法は上記摺動可能な部材を互いに分離可能な第１の部分および第２の部分の構成に備えることである。
【００１３】
詳細な説明
図１乃至図３は本発明による一定の輪状冠１０をそれぞれ示している図である。この輪状冠１０は一般に一定の患者の頭蓋（図示せず）の前方部分を囲む前方弓形部分１２および上記頭蓋の上方部分を囲み、前方弓形部分１２に接続している主弓形部分１４を備えている。一対の調節可能な足部１６が前方弓形部分１２の終端部１８および終端部２０からそれぞれ懸架している。さらに、前方弓形部分１２に沿って各足部１６の中および摺動可能な各部材２４の中をピン２２（当業界において一般的に知られているようなピン、あるいは、ＰＣＴ国際公開第ＷＯ  ９８／３０１６７号においてブール（Ｖｏｏｒ）により記載されているような一定の切断端部を有するピン等）がそれぞれ貫通して、患者の頭蓋に接触して上記輪状冠１０の位置を固定する。
【００１４】
上記前方弓形部分１２および主弓形部分１４は好ましくは一体の部品として一定のガラス複合材料およびナイロン６６樹脂により射出成形されている。このような材料は非導電性であり、一般的な医療処置におけるＸ線およびＭＲＩに対して透過性である。また、前方弓形部分１２は上方のＶ字部分２６および下方のＶ字部分２８を有する一定のＶ字形状の断面（図４も参照されたい）を有している。一方、上記摺動可能な各部材２４（図５および図６も参照されたい）は前方弓形部分１２を受容してこれに沿って摺動するための一定の相補的な三角形の内部形状を有している。これらの摺動可能な部材２４は好ましくはアルミニウムにより形成されているが、別の材料をこれに置き換えることも可能である。
【００１５】
各摺動可能な部材２４は第１の半体部分３０および第２の半体部分３２を含み、この第１の半体部分３０は上記前方弓形部分１２における下方のＶ字部分２８の形状に一致している一定の内表面部３４を有しており、第２の半体部分３０は上記前方弓形部分１２における上方のＶ字形部分２６の形状に一致している一定の内側部分３６を有している。これらの内表面部３４および内表面部３６はそれぞれ一定のフック部分３８およびフック部分４０に到達していて、上記前方弓形部分１２における下方のＶ字部分２８および上方のＶ字部分２６の終端部４２および終端部４４を囲むようになっており、これにより、摺動可能な部材２４が前方弓形部分１２に固定されて除去できなくなる。一定のねじ４６が上記第１の半体部分３０の中の一定の孔４８から第２の半体部分３２の中の一定の孔５０の中に延在している。このねじ４６を締め付けることにより、これら第１の半体部分３０および第２の半体部分３２が一体に圧縮されて、摺動可能な部材２４が前方弓形部分１２に沿う一定の側方の位置に係止される。さらに、一定のねじ付きの孔５２が上記ピン２２を受容するために第１の半体部分３０を貫通している。
【００１６】
上記の摺動可能な部材２４の二部材片型の構成は上記輪状冠１０が一定の患者に設置された後でもこの部材２４をその輪状冠１０上に配置することを可能にしている。
【００１７】
主に図１乃至図３に戻り、上記主弓形部分１４は上記前方弓形部分１２の第１の端部１８および第２の端部２０の間に延在している。この断面が図７において示されている。この主弓形部分１４は上記輪状冠１０に剛性を賦与している。ねじ付きの牽引トング取付孔５４が主弓形部分１４に設けられており、その近くにおいて、この弓形部分１４は前方弓形部分の第１の端部１８および第２の端部２０に接しており、一対の牽引トングをこの輪状冠１０に固定することを可能にしている。
【００１８】
各足部１６は上記前方弓形部分１２および主弓形部分１４の接合部分の中におよびこれに近接して一体に成形されている各受容部分５６にそれぞれ取り付けられている。さらに、一定の開口状の終端部を有する通路５８が各受容部分５６の一定の内面部６０に形成されている。各足部１６は上記通路５８の中に受容されるように寸法付けられている第１の摺動部分６２およびこの摺動部分６２に接続している第２の懸架部分６４を有している。さらに、この摺動部分６２の中における一定のスロット６６は一定のボルト６８を受容し、このボルト６８は上記受容部分５６を貫通して摺動部分６２の受容部分５６に対する相対位置を係止する。
【００１９】
上記足部の懸架部分６４はその摺動部分６２から下側に（下方に）、内側に（中央に）、および後ろ側に（ｐｏｓｔｉｅｒｌｙ）延在している。また、上記通路５８の軸７０はわずかに下側に（下方に）および内側に（中央に）延在している。従って、上記摺動部分６２をこの通路から外側に（ｐｏｓｔｉｅｒｌｙ）摺動させることにより、上記足部の懸架部分６４は後ろ側に（ｐｏｓｔｉｅｒｌｙ）、外側に（側方に）および下側に（下方に）移動する。従って、１回の単純な移動により、各足部１６は多様な頭蓋の大きさおよび形状に適応するために調節できる。２個の直線状の部分として示されているが、各足部１６は所望の位置を達成するために湾曲状、あるいは、それ以外の形状にすることももちろん可能である。上記足部１６の形状および軸７０の配向により、簡単に且つ上品に各足部の三次元における調節が行なえる。さらに、三次元における独立した調節を可能にするための付加的な複数の軸に沿う回転式の接続または摺動のような付加的な自由度が上記軸７０に沿う移動の他に備えることができる。
【００２０】
一定の位置決めパッド７２が各足部の懸架部分６４の中にねじにより取り付けられており、１個以上のピン受容用の孔７４も貫通している。さらに、一定のＣ字形状のシリコン・パッドが各摺動可能な部材２４の間における上記前方弓形部分１２の上にクリップ留めされている。
【００２１】
上記輪状冠１０は当業界において知られているような一定のベスト・アンド・ロッド（ｖｅｓｔ ａｎｄ ｒｏｄ）型の組立体（図示せず）に取り付けることを主たる目的としている。そこで、この目的のために各取付孔７８が設けられている。さらに、硬質の円形表面部分８０がこれらの孔７８を囲っていて、輪状冠１０の上記ロッド組立体に対する回転式の調節を可能にしている。
【００２２】
上記輪状冠１０を位置決めするために、摺動可能な各部材２４は前方弓形部分１２に緩く取り付けられて、これらが内部弓形部分１２に沿って摺動可能であるが外れないようにする。さらに、各足部も移動可能になるように、各足部１６におけるボルト６８も緩められる。この輪状冠１０は前頭部に配置されているパッド７６により患者の頭蓋に位置決めされる。その後、各足部１６がこれらの足部と患者の頭蓋との間において良好に一致するために調節され、ボルト６８が締められる。さらに、各位置決め用パッド７２が頭蓋に対して締め付けられて、これにより、位置決めのために輪状冠１０を頭蓋に取り付ける３点の接触位置が設定される。その後、各摺動可能な部材２４が前方弓形部分１２に沿って一定の適当な位置まで移動し、各ねじ４６が締め付けられて前方弓形部分１２における各摺動可能な部材２４の位置が係止される。その後、４個のピン２２が患者の頭蓋の中に向かって駆動され、各１個ずつが摺動可能な各部材２４におけるピン孔５２の中において移動し、さらに各１個ずつが各足部１６におけるピン孔７４の中において移動する。もちろん、５個以上のピンも使用可能である。その後、上記の各位置決めパッド７２およびＣ字形状のパッド７６が取り外し可能になる。
【００２３】
以上において本発明を説明したが、この多くの変更および変形が本発明の趣旨および範囲から実質的に逸脱することなく行なうことが可能である。従って、本明細書において説明および図示されている本発明の形態が例示のみを目的としていて、その範囲の限定を目的としていないことが当然に明瞭に理解されると考える。
【図面の簡単な説明】
【図１】
本発明による一定の輪状冠の斜視図である。
【図２】
図１の輪状冠の正面図である。
【図３】
図１の輪状冠の上面図である。
【図４】
図１の線４−４に沿う断面図である。
【図５】
図１の輪状冠における一定の摺動可能な部材の詳細な正面図である。
【図６】
図５の摺動可能な部材の側面図である。
【図７】
図１の線７−７に沿う断面図である。
【符号の説明】
１０  輪状冠
１２  前方弓形部分
１４  主弓形部分
１６  足部
２２  ピン
２４  摺動可能な部材
【国際公開パンフレット】
2004522466.tif 000003
2004522466.tif 000004
2004522466.tif 000005
2004522466.tif 000006
2004522466.tif 000007
2004522466.tif 000008
2004522466.tif 000009
2004522466.tif 000010
2004522466.tif 000011
2004522466.tif 000012
2004522466.tif 000013
2004522466.tif 000014
【手続補正書】
【提出日】平成14年7月2日(2002.7.2)
【手続補正１】
【補正対象書類名】明細書
【補正対象項目名】特許請求の範囲
【補正方法】変更
【補正の内容】
【特許請求の範囲】
【請求項１】
医療用輪状冠において、
概ね一定の個人の頭部における周縁部の一部分の周りに延在してその部分に対して側方に離間した関係で配置されるように形状付けられている一定の細長い第１の弓形部分、
前記第１の弓形部分から後方に延出していて前記個人の頭部における一定の後方部分の上に延在する少なくとも１個の足部を備えており、当該足部が一定の後方から前方への方向の成分および一定の中央から側方への方向の成分を有する第１の軸に沿って移動可能であり、さらに、前記輪状冠が、
前記少なくとも１個の足部における少なくとも１個の第１の接触部材を備えている医療用輪状冠。
【請求項２】
前記第１の接触部材が一定のピン・クランプである請求項１に記載の医療用輪状冠。
【請求項３】
前記少なくとも１個の足部が前記第１の弓形部分から後方に延出していて当該第１の弓形部分に摺動可能に取り付けられている第１の部分、および当該第１の部分から下方に延出している第２の部分を有している請求項１に記載の医療用輪状冠。
【請求項４】
前記第２の部分がさらに中央に延出している請求項３に記載の医療用輪状冠。
【請求項５】
前記第１の部分がさらに下方に延出しており、前記第１の軸がさらに一定の後方から下方への方向の成分を有している請求項４に記載の医療用輪状冠。
【請求項６】
前記第１の部分の前記第１の軸に沿う一方向における移動が前記第２の部分を下方、後方および側方に移動し、当該第１の部分の前記第１の軸に沿う前記と反対の方向における移動が前記第２の部分を上方、前方および中央に移動する請求項１に記載の医療用輪状冠。
【請求項７】
さらに、前記第１の弓形部分において一定の位置決め用パッドを備えている請求項１に記載の医療用輪状冠。
【請求項８】
前記位置決め用パッドが弾性的であり、前記第１の弓形部分の上に弾性的に適合するように形状付けられている請求項７に記載の医療用輪状冠。
【請求項９】
さらに、前記第１の弓形部分に接続していて当該第１の弓形部分との平面的な関係から外れることにより、当該第１の弓形部分に剛性を賦与するための第２の弓形部分を備えている請求項１に記載の医療用輪状冠。
【請求項１０】
前記第１の弓形部分が射出成形されている請求項１に記載の医療用輪状冠。
【請求項１１】
前記第１の弓形部分がその内部に形成されている少なくとも１個の通路を有しており、前記少なくとも１個の足部の少なくとも一部分が当該少なくとも１個の通路の中に摺動可能に配置されている請求項１に記載の医療用輪状冠。
【請求項１２】
２個の足部を有している請求項１に記載の医療用輪状冠。
【請求項１３】
さらに、前記第１の弓形部分に摺動可能に固定されて第２の接触部材を支持する少なくとも１個の摺動可能な部材を備えている請求項１に記載の医療用輪状冠。
【請求項１４】
前記第１の弓形部分および少なくとも１個の摺動可能な部材が相補的なインターロック式の形状をそれぞれ有しており、これにより、この摺動可能な部材が第１の弓形部分に沿って摺動できるが、この第１の弓形部分の回りに回転できないようになっている請求項１３に記載の医療用輪状冠。
【請求項１５】
前記少なくとも１個の摺動可能な部材が前記医療用輪状冠を一定の個人の頭部に設置した後に前記第１の弓形部分に固定できる請求項１３に記載の医療用輪状冠。
【請求項１６】
前記少なくとも１個の摺動可能な部材が互いに分離可能な第１の部分および第２の部分を有しており、これにより、当該摺動可能な部材が前記医療用輪状冠を一定の個人の頭部に設置した後に前記第１の弓形部分に固定することを可能にしている請求項１５に記載の医療用輪状冠。
【手続補正２】
【補正対象書類名】明細書
【補正対象項目名】００１４
【補正方法】変更
【補正の内容】
【００１４】
上記前方弓形部分１２および主弓形部分１４は好ましくは一体の部品として一定のガラス複合材料およびナイロン６６樹脂により射出成形されている。このような材料は非導電性であり、一般的な医療処置におけるＸ線およびＭＲＩに対して透過性である。また、前方弓形部分１２は上方のＶ字部分２６および下方のＶ字部分２８を有する一定のＶ字形状の断面（図４も参照されたい）を有している。一方、上記摺動可能な各部材２４（図５および図６も参照されたい）は前方弓形部分１２を受容してこれに沿って摺動するための一定の相補的な三角形の内部形状を有している。これらの摺動可能な部材２４は好ましくはアルミニウムにより形成されているが、別の材料をこれに置き換えることも可能である。


【手続補正３】
【補正対象書類名】明細書
【補正対象項目名】００１５
【補正方法】変更
【補正の内容】
【００１５】
各摺動可能な部材２４は第１の半体部分３０および第２の半体部分３２を含み、この第１の半体部分３０は上記前方弓形部分１２における下方のＶ字部分２８の形状に一致している一定の内表面部３４を有しており、第２の半体部分３２は上記前方弓形部分１２における上方のＶ字形部分２６の形状に一致している一定の内側部分３６を有している。これらの内表面部３４および内表面部３６はそれぞれ一定のフック部分３８およびフック部分４０に到達していて、上記前方弓形部分１２における下方のＶ字部分２８および上方のＶ字部分２６の終端部４２および終端部４４を囲むようになっており、これにより、摺動可能な部材２４が前方弓形部分１２に固定されて除去できなくなる。一定のねじ４６が上記第１の半体部分３０の中の一定の孔４８から第２の半体部分３２の中の一定の孔５０の中に延在している。このねじ４６を締め付けることにより、これら第１の半体部分３０および第２の半体部分３２が一体に圧縮されて、摺動可能な部材２４が前方弓形部分１２に沿う一定の側方の位置に係止される。さらに、一定のねじ付きの孔５２が上記ピン２２を受容するために第１の半体部分３０を貫通している。


【手続補正４】
【補正対象書類名】明細書
【補正対象項目名】００１６
【補正方法】変更
【補正の内容】
【００１６】
上記の摺動可能な部材２４の二部材片型の構成は上記輪状冠１０が一定の患者に設置された後でもこの部材２４をその輪状冠１０上に配置することを可能にしている。


【手続補正５】
【補正対象書類名】明細書
【補正対象項目名】００１７
【補正方法】変更
【補正の内容】
【００１７】
主に図１乃至図３に戻り、上記主弓形部分１４は上記前方弓形部分１２の第１の端部１８および第２の端部２０の間に延在している。この断面が図７において示されている。この主弓形部分１４は上記輪状冠１０に剛性を賦与している。ねじ付きの牽引トング取付孔５４が主弓形部分１４に設けられており、その近くにおいて、この弓形部分１４は前方弓形部分の第１の端部１８および第２の端部２０に接しており、一対の牽引トングをこの輪状冠１０に固定することを可能にしている。


【手続補正６】
【補正対象書類名】明細書
【補正対象項目名】００１８
【補正方法】変更
【補正の内容】
【００１８】
各足部１６は上記前方弓形部分１２および主弓形部分１４の接合部分の中におよびこれに近接して一体に成形されている各受容部分５６にそれぞれ取り付けられている。さらに、一定の開口状の終端部を有する通路５８が各受容部分５６の一定の内面部６０に形成されている。各足部１６は上記通路５８の中に受容されるように寸法付けられている第１の摺動部分６２およびこの摺動部分６２に接続している第２の懸架部分６４を有している。さらに、この摺動部分６２の中における一定のスロット６６は一定のボルト６８を受容し、このボルト６８は上記受容部分５６を貫通して摺動部分６２の受容部分５６に対する相対位置を係止する。


【手続補正７】
【補正対象書類名】明細書
【補正対象項目名】００１９
【補正方法】変更
【補正の内容】
【００１９】
上記足部の懸架部分６４はその摺動部分６２から下側に（下方に）、内側に（中央に）、および後ろ側に（後方に）延在している。また、上記通路５８の軸７０はわずかに下側に（下方に）および内側に（中央に）延在している。従って、上記摺動部分６２をこの通路から外側に（後方に）摺動させることにより、上記足部の懸架部分６４は後ろ側に（後方に）、外側に（側方に）および下側に（下方に）移動する。従って、１回の単純な移動により、各足部１６は多様な頭蓋の大きさおよび形状に適応するために調節できる。２個の直線状の部分として示されているが、各足部１６は所望の位置を達成するために湾曲状、あるいは、それ以外の形状にすることももちろん可能である。上記足部１６の形状および軸７０の配向により、簡単に且つ上品に各足部の三次元における調節が行なえる。さらに、三次元における独立した調節を可能にするための付加的な複数の軸に沿う回転式の接続または摺動のような付加的な自由度が上記軸７０に沿う移動の他に備えることができる。


【手続補正８】
【補正対象書類名】明細書
【補正対象項目名】００２０
【補正方法】変更
【補正の内容】
【００２０】
一定の位置決めパッド７２が各足部の懸架部分６４の中にねじにより取り付けられており、１個以上のピン受容用の孔７４も貫通している。さらに、一定のＣ字形状のシリコン・パッドが各摺動可能な部材２４の間における上記前方弓形部分１２の上にクリップ留めされている。


【手続補正９】
【補正対象書類名】明細書
【補正対象項目名】００２１
【補正方法】変更
【補正の内容】
【００２１】
上記輪状冠１０は当業界において知られているような一定のベスト・アンド・ロッド（ｖｅｓｔ ａｎｄ ｒｏｄ）型の組立体（図示せず）に取り付けることを主たる目的としている。そこで、この目的のために各取付孔７８が設けられている。さらに、硬質の円形表面部分８０がこれらの孔７８を囲っていて、輪状冠１０の上記ロッド組立体に対する回転式の調節を可能にしている。


【手続補正１０】
【補正対象書類名】明細書
【補正対象項目名】００２２
【補正方法】変更
【補正の内容】
【００２２】
上記輪状冠１０を位置決めするために、摺動可能な各部材２４は前方弓形部分１２に緩く取り付けられて、これらが前方弓形部分１２に沿って摺動可能であるが外れないようにする。さらに、各足部も移動可能になるように、各足部１６におけるボルト６８も緩められる。この輪状冠１０は前頭部に配置されているパッド７６により患者の頭蓋に位置決めされる。その後、各足部１６がこれらの足部と患者の頭蓋との間において良好に一致するために調節され、ボルト６８が締められる。さらに、各位置決め用パッド７２が頭蓋に対して締め付けられて、これにより、位置決めのために輪状冠１０を頭蓋に取り付ける３点の接触位置が設定される。その後、各摺動可能な部材２４が前方弓形部分１２に沿って一定の適当な位置まで移動し、各ねじ４６が締め付けられて前方弓形部分１２における各摺動可能な部材２４の位置が係止される。その後、４個のピン２２が患者の頭蓋の中に向かって駆動され、各１個ずつが摺動可能な各部材２４におけるピン孔５２の中において移動し、さらに各１個ずつが各足部１６におけるピン孔７４の中において移動する。もちろん、５個以上のピンも使用可能である。その後、上記の各位置決めパッド７２およびＣ字形状のパッド７６が取り外し可能になる。


【手続補正１１】
【補正対象書類名】明細書
【補正対象項目名】００２３
【補正方法】変更
【補正の内容】
【００２３】
以上において本発明を説明したが、この多くの変更および変形が本発明の趣旨および範囲から実質的に逸脱することなく行なうことが可能である。従って、本明細書において説明および図示されている本発明の形態が例示のみを目的としていて、その範囲の限定を目的としていないことが当然に明瞭に理解されると考える。




【国際調査報告】
2004522466.tif 000015
2004522466.tif 000016
2004522466.tif 000017